(57)【要約】【課題】検査対象の不良部分を簡易に、かつ高い精度で検出する検査装置。【解決手段】銅箔検査装置１０は、ライト１２、ＣＣＤカメラ１４、ガイドローラ１６、及び制御部１８を含んで構成されている。  銅箔２０に光を照射するライト１２は、各ガイドローラ１６間の中心部に位置する銅箔２０の読取位置Ｏを照射する位置に設置されており、読取位置Ｏに光を照射する。ライト１２により照射されることにより読取位置Ｏで正反射された光は、矢印Ｐの方向に進行する。本実施の形態のＣＣＤカメラ１４は、矢印Ｐの方向とは数度異なる矢印Ｑの方向に垂直な面で光を受光するように設けられており、受光した光の強度に応じて画素毎に例えば８ビットの輝度信号に変換した画像データを制御部１８に出力する。【選択図】図１
2009047513.tif 000002
【特許請求の範囲】
【請求項１】
検査対象に光を照射する照射手段と、
前記照射手段により照射され、かつ前記検査対象で正反射された光の進行方向と異なる方向から受光した光による画像を撮像する撮像手段と、
前記撮像手段により撮像された画像から、濃度が第１の閾値を超える暗領域、及び濃度が前記第１の閾値よりも小さい第２の閾値未満の明領域を抽出して、前記暗領域と前記明領域との位置関係に基づいて不良部分を検出する検出手段と、
を備えた検査装置。
【請求項２】
前記検出手段は、前記位置関係と、前記暗領域及び前記明領域の形状に基づいて不良部分とを検出することを特徴とする請求項１に記載の検査装置。
【請求項３】
前記検出手段は、前記暗領域の位置と前記明領域の位置との距離が所定距離以下の場合に、当該暗領域と当該明領域とを前記不良部分として検出することを特徴とする請求項１又は請求項２に記載の検査装置。
【請求項４】
前記検出手段は、前記暗領域の位置に対する前記明領域の位置が、前記照射手段が配置された側の場合に、当該暗領域と当該明領域とを前記検査対象の表面側に出っ張った３次元形状の変形として検出することを特徴とする請求項１〜請求項３の何れか１項に記載の検査装置。
【請求項５】
前記検出手段は、前記暗領域の位置に対する前記明領域の位置が、前記撮像手段が配置された側の場合に、当該暗領域と当該明領域とを前記検査対象の表面がくぼんだ３次元形状の変形として検出することを特徴とする請求項１〜請求項４の何れか１項に記載の検査装置。
【請求項６】
前記検査対象は複数のローラに巻き掛かけられた銅箔であり、
前記照射手段は、前記複数のローラの間の銅箔に光を照射することを特徴とする請求項１〜請求項５の何れか１項に記載の検査装置。
【請求項７】
前記検査対象はローラに巻き掛かけられた銅箔であり、
前記照射手段は、前記ローラ上の銅箔に光を照射することを特徴とする請求項１〜請求項５の何れか１項に記載の検査装置。
【発明の詳細な説明】
【技術分野】
【０００１】
本発明は検査装置に関し、特に物品の表面の３次元形状の変形を検査する検査装置に関する。
【背景技術】
【０００２】
薄銅板等の検査対象の表面に光を照射して、この検査対象の表面からの反射光を解析することによって、検査対象の表面に存在する欠陥を光学的に検出する検査は従来から種々の手法が提案されている。
【０００３】
例えば特許文献１には、検査対象に光を照射し、検査対象の表面からの正反射光の光量、及び散乱光の光量に基づいて、顕著な凹凸性を持たない銅粉の付着による欠陥を検出する技術が開示されている。
【特許文献１】再公表特許ＷＯ２００３／０５４５３０号公報
【発明の開示】
【発明が解決しようとする課題】
【０００４】
しかし、検査対象の表面に存在する欠陥を精度よく検出するためには、特許文献１に記載の技術のように複数の光学系によって検査対象を捉える必要があった。
【０００５】
本発明は、上記問題点を解消するためになされたものであり、検査対象の不良部分を簡易に、かつ高い精度で検出する検査装置を提供することを目的とする。
【課題を解決するための手段】
【０００６】
本発明は、検査対象に光を照射する照射手段と、前記照射手段により照射され、かつ前記検査対象で正反射された光の進行方向と異なる方向から受光した光による画像を撮像する撮像手段と、前記撮像手段により撮像された画像から、濃度が第１の閾値を超える暗領域、及び濃度が前記第１の閾値よりも小さい第２の閾値未満の明領域を抽出して、前記暗領域と前記明領域との位置関係に基づいて不良部分を検出する検出手段と、を備えている。
【０００７】
本発明によれば、照射手段は、検査対象に光を照射して、撮像手段は、照射手段により照射され、かつ検査対象で正反射された光の進行方向と異なる方向から受光した光による画像を撮像する。検出手段は、撮像手段により撮像された画像から、濃度が第１の閾値を超える暗領域、及び濃度が第１の閾値よりも小さい第２の閾値未満の明領域を抽出して、暗領域と明領域との位置関係に基づいて不良部分を検出する。
【０００８】
このように、本発明によれば、検査対象の不良部分を簡易に、かつ高い精度で検出することができる、という効果が得られる。
【０００９】
検出手段は、位置関係と、暗領域及び明領域の形状とに基づいて不良部分を検出するとよい。
【００１０】
また、検出手段は、暗領域の位置と明領域の位置との距離が所定距離以下の場合に、当該暗領域と当該明領域とを不良部分として検出するとよい。
【００１１】
さらに、検出手段は、暗領域の位置に対する明領域の位置が、照射手段が配置された側の場合に、当該暗領域と当該明領域とを検査対象の表面側に出っ張った３次元形状の変形として検出して、暗領域の位置に対する明領域の位置が、撮像手段が配置された側の場合に、当該暗領域と当該明領域とを検査対象の表面がくぼんだ３次元形状の変形として検出することができる。
【００１２】
また、検査対象を複数のローラに巻き掛かけられた銅箔として、照射手段が、複数のローラの間の銅箔に光を照射することで、検出手段が、銅箔の不良部分を検出する構成とするとよい。このような構成とすることで、銅箔の表面側に出っ張った３次元形状の変形、及び銅箔の裏面側にへこんだ３次元形状の変形の両方を検出することができる。
【００１３】
また、照射手段が、ローラ上の銅箔に光を照射することで、検出手段が、銅箔の不良部分を検出する構成とするとよい。このように構成することで、ローラと銅箔との間に付着した銅粉等の異物を検出することができる。銅粉等の異物はそれ自身を検出することは非常に困難であるが、銅粉等の異物の付着による銅箔の変形を検出することにより、銅粉等の異物の付着の有無の検査を精度よく行うことができる。
【発明の効果】
【００１４】
本発明によれば、検査対象の不良部分を簡易に、かつ高い精度で検出することができる、という効果が得られる。
【発明を実施するための最良の形態】
【００１５】
以下、図面を参照して本発明の実施の形態を詳細に説明する。
＜第１の実施の形態＞
第１の実施の形態に係る銅箔検査装置１０は、図１に示すように、ライト１２、ＣＣＤカメラ１４、ガイドローラ１６、及び制御部１８を含んで構成されている。
【００１６】
検査対象である銅箔２０は、図示しない銅箔製造装置より排出されており、複数のローラを経て銅箔検査装置１０へと案内されている。銅箔２０のサイズとしては、例えば、幅１３００ｍｍ、１３５０ｍｍ、厚み１２μｍ、１８μｍ、３５μｍ、７０μｍのものがある。銅箔２０は、各ガイドローラ１６の上側の外周に沿って、表面を外側にして巻き掛けられている。各ガイドローラ１６は、矢印Ｘの方向に回転して、銅箔２０を矢印Ｙの方向に搬送する。
【００１７】
銅箔２０に光を照射するライト１２は、各ガイドローラ１６間の中心部に位置する銅箔２０の読取位置Ｏを照射する位置に設置されており、読取位置Ｏに光を照射する。ライト１２により照射されることにより読取位置Ｏで正反射された光は、矢印Ｐの方向に進行する。本実施の形態のＣＣＤカメラ１４は、矢印Ｐの方向とは異なる方向であって正反射された光よりも光の強度が小さくなる矢印Ｑの方向に垂直な面で光を受光するように設けられており、受光した光の強度に応じて画素毎に例えば８ビットの輝度信号に変換した画像データを制御部１８に出力する。
【００１８】
図２に示されるように、制御部１８は、ＣＰＵ（Ｃｅｎｔｒａｌ  Ｐｒｏｃｅｓｓｉｎｇ  Ｕｎｉｔ）２２、ＲＯＭ（Ｒｅａｄ  Ｏｎｌｙ  Ｍｅｍｏｒｙ）２４、ＲＡＭ（Ｒａｎｄｏｍ  Ａｃｃｅｓｓ  Ｍｅｍｏｒｙ）２６、読取装置２８、Ｉ／Ｏポート３０、及びＨＤＤ（Ｈａｒｄ  Ｄｉｓｋ  Ｄｒｉｖｅ）３２を含んで構成されたコンピュータであり、バスを介して各々が信号授受可能に接続されている。
【００１９】
ＣＰＵ２２は、銅箔検査装置１０の全体の動作を司るものであり、プログラムに従い後述する銅箔２０の検査処理を実行する。
【００２０】
ＲＯＭ２４は、銅箔検査装置１０の起動時に動作するブートプログラムなどが記憶されている不揮発性の記憶装置である。
【００２１】
ＲＡＭ２６は、ＣＰＵ２２の実行において使用されるプログラムや、その実行において適宜変化するパラメータ、銅箔検査装置１０の作動中に取得される各種のログデータを記憶する揮発性の記憶装置である。
【００２２】
読取装置２８は、半導体メモリからなるメモリカード、光磁気ディスク、光ディスク、及び磁気ディスク等の記憶媒体が装着され、記憶媒体から記憶内容を読み取るものであり、メモリカードの記憶内容を読み取るためのカードリーダー、光磁気ディスクの記憶内容を読み取るための光磁気ディスク装置、光ディスクの記憶内容を読み取るための光ディスク装置、及び磁気ディスクの記憶内容を読み取るための磁気ディスク装置等を用いることができる。
【００２３】
ＨＤＤ３２は、後述する銅箔２０の検査処理を実行するためのプログラム、及びプログラムの実行に用いられるデータ等が格納される不揮発性の記憶装置である。ＣＣＤカメラ１４から出力された画像データはＩ／Ｏポート３０を介してＨＤＤ３２に記憶される。
【００２４】
このような制御部１８において、ＣＰＵ２２は、ＨＤＤ３２に記憶されている検査プログラムを読み出して検査プログラムを実行する。
【００２５】
本実施の形態では、ＣＰＵ２２により検査プログラムが実行されることによって、銅箔２０の検査処理が実行される。
【００２６】
なお、ＨＤＤ３２に記憶されているプログラム、及びプログラムの実行に用いられるデータ等は、記憶媒体に記憶させて、読取装置２８に読み取らせてもよい。このようにプログラム、及びプログラムの実行に用いられるデータ等が記憶媒体に記憶されている場合は、記憶媒体が読取装置２８に装着されると、ＣＰＵ２２は、記憶媒体に記憶されているプログラム、及びプログラムの実行に用いられるデータ等を読み出してＨＤＤ３２に格納する。
【００２７】
次に、図３及び４を参照して、ライト１２により照射され、読取位置Ｏにより反射される反射光、及びＣＣＤカメラ１４により撮像される画像についてについて説明する。
【００２８】
図３（Ａ）に示される銅箔２０は、銅箔２０表面側に出っ張った３次元形状の変形（以下、凸デンツとよぶ）が発生している。なお、図３（Ａ）に示されるように、本実施の形態では逆Ｖ字形状の凸デンツを例に挙げて説明するが、銅箔検査装置１０により検査される凸デンツの形状は逆Ｖ字形状に限らない。
【００２９】
図３（Ａ）は、ライト１２により銅箔２０の搬送方向の上流側から照射され、読取位置Ｏで反射された光の光路を示している。
【００３０】
矢印Ａ１は、ライト１２により照射された光ビームが、凸デンツが発生していない領域で反射された場合の光路を示している。矢印Ａ１で示されるように、凸デンツが発生していない領域で反射された反射光は、矢印Ｑで示されるＣＣＤカメラ１４の光軸に対して斜め方向に進むため、ＣＣＤカメラ１４に入射する光の強度は小さい。
【００３１】
矢印Ａ２は、ライト１２により照射された光ビームが、凸デンツの上流側のスロープ領域で反射された場合の光路を示している。矢印Ａ２で示されるように、凸デンツの上流側のスロープ領域で反射された反射光は、矢印Ｑで示されるＣＣＤカメラ１４の光軸に沿って進むため、ＣＣＤカメラ１４に入射する光の強度は大きい。
【００３２】
矢印Ａ３は、ライト１２により照射された光ビームが、凸デンツの下流側のスロープ領域で反射された場合の光路を示している。矢印Ａ３で示されるように、凸デンツの下流側のスロープ領域で反射された反射光は、矢印Ｑで示されるＣＣＤカメラ１４の光軸に対してほぼ垂直の方向に進むため、ＣＣＤカメラ１４に入射する光の強度は非常に小さい。
【００３３】
図３（Ｂ）は、ライト１２により照射され、凸デンツを含む領域により反射されて、ＣＣＤカメラ１４に入射する光の強度の変化の概要を示している。横軸が読取位置Ｏを示し、縦軸が強度を示す。上流側のスロープ領域で反射された場合の強度は大きく、下流側のスロープ領域で反射された場合の強度は小さくなる。
【００３４】
このことから、凸デンツを含む領域をＣＣＤカメラ１４で撮像した場合は、図３（Ｃ）に例示されるような画像が得られる。明るい領域Ｌは凸デンツの上流側のスロープ領域部分を示し、暗い領域Ｄは凸デンツの下流側のスロープ領域を示している。
【００３５】
図４（Ａ）に示される銅箔２０は、銅箔２０裏面側にへこんだ３次元形状の変形（以下、凹デンツとよぶ）が発生している。なお、図４（Ａ）に示されるように、本実施の形態ではＶ字形状の凹デンツを例に挙げて説明するが、銅箔検査装置１０により検査される凹デンツの形状はＶ字形状に限らない。
【００３６】
図４（Ａ）は、ライト１２により銅箔２０の搬送方向の上流側から照射され、読取位置Ｏで反射された光の光路を示している。
【００３７】
矢印Ａ４は、ライト１２により照射された光ビームが、凹デンツが発生していない領域で反射された場合の光路を示している。矢印Ａ４で示されるように、凹デンツが発生していない領域で反射された反射光は、矢印Ｑで示されるＣＣＤカメラ１４の光軸に対して斜め方向に進むため、ＣＣＤカメラ１４に入射する光の強度は小さい。
【００３８】
矢印Ａ５は、ライト１２により照射された光ビームが、凹デンツの上流側のスロープ領域で反射された場合の光路を示している。矢印Ａ５で示されるように、凹デンツの上流側のスロープ領域で反射された反射光は、矢印Ｑで示されるＣＣＤカメラ１４の光軸に対してほぼ垂直の方向に進むため、ＣＣＤカメラ１４に入射する光の強度は大きい。
【００３９】
矢印Ａ６は、ライト１２により照射された光ビームが、凹デンツの下流側のスロープ領域で反射された場合の光路を示している。矢印Ａ６で示されるように、凹デンツの下流側のスロープ領域で反射された反射光は、矢印Ｑで示されるＣＣＤカメラ１４の光軸に沿って進むため、ＣＣＤカメラ１４に入射する光の強度は非常に小さい。
【００４０】
図４（Ｂ）は、ライト１２により照射され、凹デンツを含む領域により反射されて、ＣＣＤカメラ１４に入射する光の強度の変化の概要を示している。横軸が読取位置Ｏを示し、縦軸が強度を示す。上流側のスロープ領域で反射された場合の強度は小さく、下流側のスロープ領域で反射された場合の強度は大きくなる。
【００４１】
このことから、凹デンツを含む領域をＣＣＤカメラ１４で撮像した場合は、図４（Ｃ）に例示されるような画像が得られる。暗い領域Ｄは凹デンツの上流側のスロープ領域を示し、明るい領域Ｌは凹デンツの下流側のスロープ領域部分を示している。
【００４２】
従って、本実施の形態では、撮像した画像から、明るい領域と暗い領域とのペアを抽出することで、３次元形状の変形を検出することができる。さらに、明るい領域と暗い領域との位置関係から、３次元形状の変形が凸デンツなのか、凹デンツなのかを判定することができる。
【００４３】
次に、図５のフローチャートを参照して、制御部１８で行われる、銅箔２０の検査処理のルーチンについて説明する。
【００４４】
ステップ５０では、ＣＣＤカメラ１４から出力された画像データを受信する。
【００４５】
ステップ５２では、搬送方向に並ぶ画素の平均輝度値を求め、各画素毎に自身の輝度値と平均輝度値との差を求めて、自身の輝度値をこの差の値と置き換える。これにより、画像中の搬送方向に生じる縞模様を除くことができる。
【００４６】
上述したように、銅箔２０に３次元形状の変形が発生している場合は、３次元形状の変形に対応する領域の画像には、輝度値の大きい領域と輝度値の小さい領域とのペアが発生する。そこで、ステップ５４では、ステップ５２で置き換えられた各画素の輝度値を閾値処理する。例えば輝度値を−１２８から１２８までの２５６階調で表す場合、「３」を第１の閾値、「−３」を第２の閾値として、輝度値が第１の閾値を超える画素の輝度値を「１２８」に変換し、輝度値が第１の閾値以下、かつ第２の閾値以上の画素の輝度値を「０」に変換し、輝度値が第２の閾値未満の画素の輝度値を「−１２８」に変換する。ステップ５４の処理が施された画像データの一例を図６（Ａ）に示す。以下、輝度値が「１２８」の画素領域を明領域とよび、輝度値が「−１２８」の画素領域を暗領域とよぶ。
【００４７】
ステップ５６では、ステップ５４で閾値処理された画像データをノイズフィルタにかけて画像データからノイズを除去する。具体的には、明領域又暗領域のうち、搬送方向と直交する方向、又は搬送方向に同じ画素値が連続しない明領域又暗領域の輝度値を「０」に変換する。まず、搬送方向と直交する方向に連続しない明領域又暗領域の輝度値を「０」に変換して図６（Ｂ）に示される画像データを得る。さらに搬送方向に連続しない明領域又暗領域の輝度値を「０」に変換して図６（Ｃ）に示される画像データを得る。
【００４８】
ステップ５８では、暗領域、及び明領域の各々をラベリングして識別する。
【００４９】
ステップ６０では、明領域の位置と暗領域の位置との距離が所定距離以内である、暗領域と明領域とをペアリングする。この所定距離は、対象となる明領域と暗領域とが３次元形状の変形の領域であると判断できる値に設定される。
【００５０】
ステップ６２では、ステップ６０でペアリングされた各々の暗領域及び明領域の、サイズ（例えば面積）及び形状に基づき、各々の暗領域と明領域とのペアが３次元形状の変形の領域か否かを判定する。例えば、暗領域と明領域とのサイズが違いすぎる場合、例えば暗領域と明領域との面積が所定値以上異なる場合は３次元形状の変形ではないと判定する。この所定値は、対象となる明領域と暗領域とが３次元形状の変形の領域であると判断できる値に設定される。また、形状に基づく判定では、例えば、暗領域又は明領域の少なくとも一方が細すぎる場合に３次元形状の変形ではないと判定する。
【００５１】
さらに、ステップ６２では、暗領域と明領域の位置関係に基づいて、３次元形状の変形が凸デンツか凹デンツかの判定を行う。すなわち、暗領域の位置に対する明領域の位置が、読取位置Ｏのライト１２が設置されている側の場合、この暗領域と明領域とは凸デンツと判定する。また、明領域の位置に対する暗領域の位置が、読取位置Ｏのライト１２が設置されている側の場合、この暗領域と明領域とは凹デンツと判定する。
【００５２】
また、制御部１８は、暗領域及び明領域のサイズに基づき、３次元形状の変形の大きさを判定することができる。例えば、暗領域及び明領域の面積と、３次元形状の変形の大きさとの対応関係を予め求めておくことにより、暗領域及び明領域の面積から３次元形状の変形の大きさを求めることができる。
【００５３】
また、３次元形状の変形のスロープの角度によって、反射光の輝度値（ステップ５４の閾値処理前）は異なる。このことから、反射光の輝度値と、３次元形状の変形のスロープの角度との対応関係を予め求めておくことにより、反射光の輝度値から３次元形状の変形のスロープの角度を求めることができる。さらに、制御部１８は、３次元形状の変形の大きさ、及び３次元形状の変形のスロープの角度から、３次元形状の変形の高さを判定することができる。
【００５４】
なお、ライト及びＣＣＤカメラを銅箔の搬送方向の上流側と下流側の対向する位置に設置する構成としたが、ライト及びＣＣＤカメラは読取位置を中心として対向する位置に設置されていればよい。例えば、ライト及びＣＣＤカメラの設置位置を入れ替えた場合、暗領域の現れる位置と明領域の現れる位置との位置関係が入れ替わる。また、ライト及びＣＣＤカメラを銅箔の搬送方向に直交する方向の対向する位置に設置した場合、暗領域の現れる位置と明領域の現れる位置とは銅箔の搬送方向に直交する方向に並ぶ。
【００５５】
このように、正反射された光の光軸の方向と異なる方向に垂直な面で光を受光するように設けたＣＣＤカメラにより撮像された画像において輝度値が大きい領域と輝度値が小さい領域とを抽出し、抽出した各々の位置関係に基づいて判定を行うことで、銅箔に３次元形状の変形が発生しているか否かを精度よく検査することができる。
＜第２の実施の形態＞
続いて、本発明の第２の実施の形態に係る銅箔検査装置について説明する。
【００５６】
第１の実施の形態では、ガイドローラ間を搬送されている銅箔の画像に基づいて銅箔に３次元形状の変形が発生しているか否かを検査する場合について説明したが、第２の実施の形態では、ガイドローラに巻きかけられている銅箔の画像に基づいて銅箔に３次元形状の変形が発生しているか否かを検査する場合について説明する。以下では、第１の実施の形態に対する差異を説明する。
【００５７】
第２の実施の形態に係る銅箔検査装置１００は、図７に示すように、ライト１０２、ＣＣＤカメラ１０４、ガイドローラ１０６、及び制御部１８を含んで構成されている。
【００５８】
銅箔２０は、ガイドローラ１０６の上側の外周に沿って、表面を外側にして巻き掛けられている。ガイドローラ１０６は、矢印Ｘの方向に回転して、銅箔２０を矢印Ｙの方向に搬送する。
【００５９】
銅箔２０に光を照射するライト１０２は、ガイドローラ１６の中心部の水平方向より上側に位置する銅箔２０の読取位置Ｒを照射する位置に設置されており、読取位置Ｒに光を照射する。ライト１０２により照射されることにより読取位置Ｒで正反射された光は、矢印Ｓの方向に進行する。本実施の形態のＣＣＤカメラ１０４は、矢印Ｓの方向とは数度異なる矢印Ｔの方向に垂直な面で光を受光するように設けられており、受光した光の強度に応じて画素毎に例えば８ビットの輝度信号に変換した画像データを制御部１８に出力する。
【００６０】
このように構成された銅箔検査装置１００は、ガイドローラ１０６と銅箔２０との間に付着した銅粉等の異物を検出することができる。
【００６１】
次に、図８を参照して、ライト１０２により照射され、読取位置Ｒにより反射される反射光、及びＣＣＤカメラ１０４により撮像される画像についてについて説明する。
【００６２】
図８（Ａ）に示される銅箔２０は、銅粉等１０８の異物の付着により銅箔２０表面側に出っ張った３次元形状の変形（以下、銅粉部とよぶ）が発生している。なお、図８（Ａ）に示されるように、本実施の形態では逆Ｖ字形状の銅粉部を例に挙げて説明するが、銅箔検査装置１００により検査される銅粉部の形状は逆Ｖ字形状に限らない。
【００６３】
図８（Ａ）は、ライト１０２により銅箔２０の搬送方向の上流側から照射され、読取位置Ｒで反射された光の光路を示している。
【００６４】
矢印Ａ７は、ライト１０２により照射された光ビームが、銅粉部ではない領域で反射された場合の光路を示している。矢印Ａ７で示されるように、銅粉部ではない領域で反射された反射光は、矢印Ｔで示されるＣＣＤカメラ１０４の光軸に対して斜め方向に進むため、ＣＣＤカメラ１０４に入射する光の強度は小さい。
【００６５】
矢印Ａ８は、ライト１０２により照射された光ビームが、銅粉部の上流側のスロープ領域で反射された場合の光路を示している。矢印Ａ８で示されるように、銅粉部の上流側のスロープ領域で反射された反射光は、矢印Ｔで示されるＣＣＤカメラ１０４の光軸に沿って進むため、ＣＣＤカメラ１０４に入射する光の強度は大きい。
【００６６】
矢印Ａ９は、ライト１０２により照射された光ビームが、銅粉部の下流側のスロープ領域で反射された場合の光路を示している。矢印Ａ９で示されるように、銅粉部の下流側のスロープ領域で反射された反射光は、矢印Ｔで示されるＣＣＤカメラ１０４の光軸に対してほぼ垂直の方向に進むため、ＣＣＤカメラ１０４に入射する光の強度は非常に小さい。
【００６７】
図８（Ｂ）は、ライト１０２により照射され、銅粉部を含む領域により反射されて、ＣＣＤカメラ１０４に入射する光の強度の変化の概要を示している。横軸が読取位置Ｒを示し、縦軸が強度を示す。上流側のスロープ領域で反射された場合の強度は大きく、下流側のスロープ領域で反射された場合の強度は小さくなる。
【００６８】
このことから、銅粉部を含む領域をＣＣＤカメラ１０４で撮像した場合は、図８（Ｃ）に例示されるような画像が得られる。明るい領域Ｌは銅粉部の上流側のスロープ領域ベース部分を示し、暗い領域Ｄは銅粉部の下流側のスロープ領域を示している。
【００６９】
制御部１８は、前述の図５のフローチャートで示された銅箔２０の検査処理を行なう。
【００７０】
このように、正反射された光の光軸の方向と異なる方向に垂直な面で光を受光するように設けたＣＣＤカメラにより撮像された画像において輝度値が大きい領域と輝度値が小さい領域とを抽出し、抽出した各々の位置関係に基づいて判定を行うことで、銅箔に銅粉等の異物が付着しているか否かを精度よく検査することができる。
【００７１】
銅粉はそれ自身を検出することは非常に困難であるが、本実施の形態では、銅粉等の異物の付着による銅箔の変形を検出することにより、精度よく検査を行うことができる。
【図面の簡単な説明】
【００７２】
【図１】本発明の第１の実施の形態にかかる銅箔検査装置の要部を示す図である。
【図２】銅箔検査装置の制御部の概略構成図である。
【図３】銅箔に発生した凸デンツにより反射された反射光について説明する図である。
【図４】銅箔に発生した凹デンツにより反射された反射光について説明する図である。
【図５】銅箔の検査処理のルーチンを示すフローチャートである。
【図６】撮像された画像に画像処理を施した画像の一例を示す。
【図７】本発明の第２の実施の形態にかかる銅箔検査装置の要部を示す図である。
【図８】銅分により変形した銅箔により反射された反射光について説明する図である。
【符号の説明】
【００７３】
１０   銅箔検査装置
１２   ライト
１４   ＣＣＤカメラ
１６   ガイドローラ
１８   制御部
２０   銅箔
１００ 銅箔検査装置
１０２ ライト
１０４ ＣＣＤカメラ
１０６ ガイドローラ
【図１】
2009047513.tif 000003
【図２】
2009047513.tif 000004
【図３】
2009047513.tif 000005
【図４】
2009047513.tif 000006
【図５】
2009047513.tif 000007
【図７】
2009047513.tif 000008
【図８】
2009047513.tif 000009
【図６】
2009047513.tif 000010